(57)【要約】【課題】本発明は、利便性を低下させることなく独自性を向上させた愛玩動物用サークルを提供することを目的とする。【解決手段】側面部を構成する正面パネル２ａ、背面パネル３ａ、及び側面パネル４ａを連結して内部空間に愛玩動物を入れるサークル１ａは、正面パネル２ａ、背面パネル３ａ、及び側面パネル４ａを、外周枠２０，３０，４０と、枠内線材２１ａ，３１，４１と、外部線材要素２２，３２，４２とで構成し、該外部線材要素２２，３２，４２を、外周枠２０，３０，４０の上端から外部に突出するように、線材を平面的に曲げて形成するとともに、外周枠２０，３０，４０と同一平面上に配置したことを特徴とする。【選択図】図１
2016106582.tif 000002
【特許請求の範囲】
【請求項１】
側面を構成する側面構成部材を複数連結して内部空間に愛玩動物を入れる愛玩動物用サークルであって、
前記側面構成部材を、
線材を枠状に形成した外周枠と、
所定間隔を隔てた前記線材を前記外周枠の内部に複数配置した枠内線材と、
前記線材の少なくとも一部が前記外周枠の上部から外部に突出する外部線材要素とで構成し、
該外部線材要素を、前記線材を平面的に形成するとともに、前記側面構成部材と同一平面上に配置した
愛玩動物用サークル。
【請求項２】
連結した複数の前記側面構成部材の上部を閉塞するとともに、上面を構成する上面構成部材を備え、
該上面構成部材を、前記外周枠と前記枠内線材とで構成した
請求項１に記載の愛玩動物用サークル。
【請求項３】
複数の前記側面構成部材及び前記上面構成部材のうち少なくともひとつに、
前記線材を平面的に形成し、前記外周枠の内部に複数の前記枠内線材に亘って重ねて配置した内部線材要素を備えた
請求項２に記載の愛玩動物用サークル。
【請求項４】
前記内部線材要素の少なくとも一部を、前記外周枠に固定した
請求項３に記載の愛玩動物用サークル。
【請求項５】
前記側面構成部材を構成する前記枠内線材に、対象部材を係止して保持する係止部を備えた
請求項１から４のうちいずれか一項に記載の愛玩動物用サークル。
【発明の詳細な説明】
【技術分野】
【０００１】
この発明は、例えば、犬や猫などの愛玩動物を入れる愛玩動物用サークルに関する。
【背景技術】
【０００２】
従来、愛玩動物を飼うために、様々な愛玩動物用サークルが提案されており、例えば、特許文献１に記載の愛玩動物用サークルは、線状部材（以下、線材）を格子状に形成した複数の周壁パネル（以下、側面構成部材）及び天面パネル（以下、上面構成部材）で構成されている。
【０００３】
このように、線材を格子状の形成した側面構成部材及び上面構成部材を備えた愛玩動物用サークルは、一般的である一方、他の愛玩動物用サークルと見栄えに大差はなく、独自性に欠けるという問題があった。
【０００４】
愛玩動物用サークルが独自性に欠ける理由として、愛玩動物用サークルに装飾品を取り付けた場合、折り畳んだ愛玩動物用サークルは、取り付けた装飾品によって、複数の側面構成部材及び上面構成部材を、重ね合わせてコンパクトに折り畳むことができないおそれがあることが考えられる。
【０００５】
つまり、愛玩動物用サークルは、装飾品を取り付けることで、他の愛玩動物用サークルとは明らかに異なる見栄えとなるように独自性を向上させた場合、上記理由から収納に不向きなものとなって、利便性が低下するおそれがあった。
【先行技術文献】
【特許文献】
【０００６】
【特許文献１】特開２００８−１９９９３３号公報
【発明の概要】
【発明が解決しようとする課題】
【０００７】
そこで本発明は、利便性を低下させることなく独自性を向上させた愛玩動物用サークルを提供することを目的とする。
【課題を解決するための手段】
【０００８】
この発明は、側面を構成する側面構成部材を複数連結して内部空間に愛玩動物を入れる愛玩動物用サークルであって、前記側面構成部材を、線材を枠状に形成した外周枠と、所定間隔を隔てた前記線材を前記外周枠の内部に複数配置した枠内線材と、前記線材の少なくとも一部が前記外周枠の上部から外部に突出する外部線材要素とで構成し、該外部線材要素を、前記線材を平面的に形成するとともに、前記側面構成部材と同一平面上に配置したことを特徴とする。
【０００９】
上記外周枠とは、枠内線材を囲うように長方形や正方形を含む矩形などに形成した外周枠の他、複数配置した枠内線材のうち、最外部に配置された枠内線材を外周枠とすることを含む概念である。
【００１０】
上記所定間隔とは、愛玩動物用サークルから愛玩動物が抜け出さないような間隔とする概念であって、愛玩動物用サークルから愛玩動物が抜け出さない間隔であれば、間隔を広くしてもよいし、狭くしてもよい。
【００１１】
上記線材を平面的に形成するとは、直交する２方向からなる平面に沿って形成することであって、例えば、線材を直線状、曲線状、直線状と曲線状を組み合わせた形状、或いは、環状など、様々な形状となるように、線材を曲げて形成することや複数の線材を連結して形成することなどを含む概念である。
【００１２】
上記側面構成部材と同一平面上に配置するとは、愛玩動物用サークルの外観上、側面構成部材と略一致する同一平面に配置する、つまり、側面構成部材が構成する面から直交する方向に極端に突出しない程度に略一致する同一平面に配置するように、外部線材要素を、側面構成部材に固定する、或いは着脱自在に取り付けることを含む概念である。
【００１３】
この発明により、愛玩動物用サークルは、利便性を低下させることなく独自性を向上させることができる。  
詳述すると、線材の少なくとも一部が外周枠の上部から外部に突出する外部線材要素を、線材を平面的に形成するとともに、側面構成部材と同一平面上に配置したことにより、愛玩動物用サークルは、様々な形状に形成した外部線材要素が外周枠の上部から突出する立体的な装飾品となって、独自性を向上させることができる。
【００１４】
さらに、外部線材要素を、線材を平面的に形成するとともに、側面構成部材と同一平面上に配置したことにより、複数の側面構成部材は、外部線材要素が嵩張ることなく、重ね合わせてコンパクトに折り畳むことができるため、愛玩動物用サークルを狭い隙間に収納できずに、利便性が低下することを防止できる。
【００１５】
従って、独自性を向上させることによって利便性が低下するおそれのあった愛玩動物用サークルは、線材の少なくとも一部が外周枠の上部から外部に突出する外部線材要素を、線材を平面的に形成するとともに、側面構成部材と同一平面上に配置したことにより、利便性を低下させることなく独自性を向上させることができる。
【００１６】
さらにまた、外部線材要素を、線材の少なくとも一部が外周枠の上部から外部に突出するように形成したことにより、愛玩動物用サークル内で愛玩動物が飛び跳ねても、愛玩動物用サークルから愛玩動物が飛び出ることを防止できる。
【００１７】
なお、外部線材要素を側面構成部材に着脱自在に取り付けた場合、装飾品としての外部線材要素を、形状が異なる他の外部線材要素と取り替えるだけで、愛玩動物用サークルに、様々な外観を備えることができ、独自性を向上させることができる。
【００１８】
この発明の態様として、連結した複数の前記側面構成部材の上部を閉塞するとともに、上面を構成する上面構成部材を備え、該上面構成部材を、前記外周枠と前記枠内線材とで構成することができる。  
この発明により、愛玩動物用サークルから愛玩動物が飛び出すことを確実に防止することができる。
【００１９】
この発明の態様として、複数の前記側面構成部材及び前記上面構成部材のうち少なくともひとつに、前記線材を平面的に形成し、前記外周枠の内部に複数の前記枠内線材に亘って重ねて配置した内部線材要素を備えることができる。
【００２０】
上記内部線材要素とは、直交する２方向からなる平面に沿って、例えば、線材を直線状、曲線状、直線状と曲線状を組み合わせた形状、或いは、環状など、様々な形状となるように、線材を曲げて形成することや複数の線材を連結して形成することなどを含む概念である。  
この発明により、内部線材要素を備えた側面構成部材や上面構成部材の強度を向上させるとともに、独自性をさらに向上させることができる。
【００２１】
詳述すると、外周枠の内部に複数の枠内線材に亘って重ねて内部線材要素を配置したことにより、内部線材要素を備えた側面構成部材や上面構成部材は、内部線材要素を備えた部分における強度を向上させることができる。  
さらに、外周枠の内部に複数の枠内線材に亘って重ねて内部線材要素を配置したことにより、愛玩動物用サークルの独自性をさらに向上させることができる。
【００２２】
さらにまた、愛玩動物用サークルは、外周枠の内部に複数の枠内線材に亘って重ねて内部線材要素を配置したことにより、内部線材要素が嵩張ることなく重ね合わせてコンパクトに折り畳むことができ、利便性が低下することを抑制できる。
【００２３】
またこの発明の態様として、前記内部線材要素の少なくとも一部を、前記外周枠に固定することができる。  
この発明により、内部線材要素を備えた側面構成部材や上面構成部材は、内部線材要素を備えた部分における強度をさらに向上させることができる。
【００２４】
またこの発明の態様として、前記側面構成部材を構成する前記枠内線材に、対象部材を係止して保持する係止部を備えることができる。  
上記対象部材とは、例えば、複数の側面構成部材及び上面構成部材を、重ね合わせて折り畳む際に、互いにぶつかり合って傷が付くことを防止するクッション材やスペーサなどの収納用具、或いは、愛玩動物用サークルに取り付けることが可能な、愛玩動物用の給餌用具、給水用具、おもちゃなどの愛玩動物用生活用具を含む概念である。
【００２５】
上記係止部とは、対象部材が所望の箇所からずれ落ちたり、外れたりすることを防止するために、対象部材と係止する部分のことであって、例えば、平行に延びた隣り合う２本の枠内線材の一部を、離間させた部分、或いは近接させた部分などを含む概念である。
【００２６】
この発明により、係止部に対象部材を確実に保持することができる。  
詳述すると、例えば、係止部に収納用具を装着した場合、装着した収納用具がずれ落ちたり、外れたりすることなく係止部に係止され、複数の側面構成部材及び上面構成部材は、重ね合わせてコンパクトに折り畳む際に、互いにぶつかり合って傷が付くことを防止できる。
【００２７】
さらには、例えば、係止部に愛玩動物用生活用具を装着した場合、愛玩動物用サークルは、愛玩動物用生活用具を愛玩動物が揺らしたり、押したりしても、愛玩動物用生活用具がずれ落ちたり、外れたりすることを防止できる。
【発明の効果】
【００２８】
本発明は、利便性を低下させることなく独自性を向上させた愛玩動物用サークルを提供することができる。
【図面の簡単な説明】
【００２９】
【図１】サークルの斜視図。
【図２】サークルの正面図。
【図３】サークルの背面図。
【図４】サークルの左側面図。
【図５】サークルの右側面図。
【図６】サークルの平面図。
【図７】トレーの説明図。
【図８】トレーの説明図。
【図９】サークルの部分拡大端面図。
【図１０】他の実施形態におけるサークルの説明図。
【図１１】他の実施形態におけるサークルの説明図。
【図１２】他の実施形態におけるサークルの説明図。
【図１３】他の実施形態におけるサークルの説明図。
【図１４】他の実施形態におけるサークルの説明図。
【図１５】他の実施形態におけるサークルの説明図。
【図１６】他の実施形態におけるサークルの説明図。
【図１７】他の実施形態におけるサークルの説明図。
【図１８】他の実施形態におけるサークルの説明図。
【図１９】他の実施形態におけるサークルの説明図。
【図２０】他の実施形態におけるサークルの説明図。
【図２１】他の実施形態におけるサークルの説明図。
【図２２】他の実施形態におけるサークルの説明図。
【図２３】他の実施形態におけるサークルの説明図。
【図２４】他の実施形態におけるサークルの説明図。
【図２５】他の実施形態におけるサークルの説明図。
【図２６】他の実施形態におけるサークルの説明図。
【図２７】他の実施形態におけるサークルの説明図。
【図２８】他の実施形態におけるサークルの説明図。
【図２９】他の実施形態におけるサークルの説明図。
【図３０】他の実施形態におけるサークルの説明図。
【発明を実施するための形態】
【００３０】
この発明の一実施形態の構成を、図１から図９を用いて説明する。  
図１は、サークル１ａの斜視図を示し、図２は、サークル１ａの正面図を示し、図３は、サークル１ａの背面図を示し、図４は、サークル１ａの左側面図を示し、図５は、サークル１ａの右側面図を示し、図６は、サークル１ａの平面図を示している。
【００３１】
図７（ａ）は、トレー７の平面図を示し、図７（ｂ）トレー７の底面図、つまり、サークル１ａの底面図を示し、図８（ａ）は、図７（ａ）中のＡ−Ａ，Ｂ−Ｂ部分における拡大平面図を示し、図８（ｂ）は、図７（ｂ）中のＡ−Ａ，Ｂ−Ｂ部分における拡大底面図を示し、図９は、図８（ａ）或いは図８（ｂ）中のＣ−Ｃ線における拡大端面図を示している。
【００３２】
なお、図７（ａ）のＡ−Ａ，Ｂ−Ｂ部分と、図７（ｂ）のＡ−Ａ，Ｂ−Ｂ部分とは、同一の部分であるため、図８（ａ）のＣ−Ｃ線と、図８（ｂ）のＣ−Ｃ線も同一の面をあらわす。従って、図９は、図８（ａ）中のＣ−Ｃ線における拡大端面図であるとともに、図８（ｂ）中のＣ−Ｃ線における拡大端面図でもある。
【００３３】
本実施形態におけるサークル１ａは、犬や猫などの愛玩動物（図示省略）を入れることができるように、複数のパネルを連結して内部中空状の略箱状に形成したものであって、図１から図６に示すように、略長方形状の正面パネル２ａ、背面パネル３ａ、左右の側面パネル４ａ，４ａ、及び上面パネル５ａと、正面パネル２ａ、背面パネル３ａ、及び側面パネル４ａを連結する連結部材６と、該連結部材６で連結した上記パネルを載置する平面視略長方形状のトレー７とで構成している。なお、正面パネル２ａ、背面パネル３ａ、及び側面パネル４ａは、サークル１ａの側面部を構成し、上面パネル５ａは、サークル１ａの上面部を構成している。
【００３４】
正面パネル２ａは、図１及び図２に示すように、線材を略長方形の枠状に形成した外周枠２０と、該外周枠２０の内部に線材を複数配置した枠内線材２１ａと、外周枠２０の上端から外部に向けて突出する外部線材要素２２と、愛玩動物が出入りする出入り口部２３と、該出入り口部２３を開閉自在に閉塞する閉塞パネル２４とで構成している。  
なお、以下において、理解を容易にするために、特段の説明がない限り、出入り口部２３を閉塞パネル２４で閉塞した状態とする。
【００３５】
外周枠２０は、横長な長方形となるように線材を枠状に曲げて形成している。  
枠内線材２１ａは、出入り口部２３を除いた外周枠２０の内部に、外周枠２０の長手方向及び短手方向に沿って所定間隔隔てた線材を複数配置して構成している。
【００３６】
この枠内線材２１ａは、外周枠２０の短手方向に沿って直線的に延びる第１枠内線材２１０と、短手方向に沿って略直線的に延びるとともに、中央部分が長手方向に向けて略Ｍ字状に突出する突出部２１３ａを備えた第２枠内線材２１１ａと、長手方向に沿って直線的に延びる第３枠内線材２１２とで構成している。
【００３７】
これら第１枠内線材２１０及び第２枠内線材２１１ａは、平行に配置された２本の第１枠内線材２１０を一組とするとともに、突出部２１３ａが対向するように、平行に配置された２本の第２枠内線材２１１ａを一組とし、一組の第１枠内線材２１０と一組の第２枠内線材２１１ａとを交互に配置している。なお、出入り口部２３付近においては、第１枠内線材２１０のみを配置している。
【００３８】
第３枠内線材２１２は、外周枠２０の各長辺から内部に向けて、外周枠２０における短手方向の長さの約４分の１の距離にそれぞれ配置されている。つまり、第３枠内線材２１２は、外周枠２０の上側及び下側に１つずつ配置されている。
【００３９】
外部線材要素２２は、所望の形状に曲げて形成した複数の線材を組み合わせて構成しており、外周枠２０の長手方向における中間部分を軸とした左右対称形状となるように形成している。なお、この外部線材要素２２は、立体的ではなく、平面的に曲げて形成しているため、外周枠２０に沿った形状となり、外周枠２０と同一平面上に配置される。
【００４０】
出入り口部２３は、外周枠２０の左側において、正方形の上部が半円形の略ドーム状となるように線材を枠状に曲げて形成されており、上方が開口した筒状の枢支部２３０を２つ備えている。  
２つの枢支部２３０は、中心軸が一致するように、出入り口部２３の左端に上下に所定間隔隔てて配置されている。
【００４１】
閉塞パネル２４は、正方形の上部が半円形の略ドーム状となるように線材を曲げて形成した外周枠２４０と、該外周枠２４０の内部に複数配置した格子状の枠内線材２４１と、外周枠２４０の左端から外部に向けて突出する枢支部２４２と、出入り口部２３に係止して閉状態を維持するロック部２４３とで構成している。
【００４２】
外周枠２４０は、出入り口部２３よりもわずかに小さくなるように、上述した出入り口部２３と同様の略ドーム状に形成されている。  
枠内線材２４１は、外周枠２４０を内部に向けて徐々に小さくなるようにオフセットした複数の線材と、外周枠２０の長手方向に沿って伸びる線材と、上側の半円状の部分から中心に向けて伸びる線材とを組み合わせて構成している。
【００４３】
枢支部２４２は、逆Ｌ字状となるように、外周枠２４０から左方に向けて突出した線材の先端を下方に向けて曲げており、下方に曲げられた部分を、出入り口部２３の枢支部２３０に挿入可能に形成されている。
【００４４】
この枢支部２４２は、外周枠２４０の左方において、下方に曲げられた部分の中心軸が一致するように、上下に所定間隔隔てて２つ配置されている。  
なお、図１においては、枢支部２４２を図示省略しており、図２においては、枢支部２４２の下方に曲げられた部分が、出入り口部２３の枢支部２３０の内部に挿入されている状態を示している。
【００４５】
ロック部２４３は、閉塞パネル２３の左側に配置されており、外周枠２４０の左方にスライドすることで閉塞パネル２４が出入り口部２３の閉状態を維持し、右側にスライドすることで閉塞パネル２４による出入り口部２３の閉状態を解除して閉塞パネル２４を開状態にすることができる一般的なものを使用している。
【００４６】
背面パネル３ａは、図３に示すように、線材を略長方形の枠状に形成した外周枠３０と、該外周枠３０の内部に線材を複数配置した枠内線材３１と、外周枠３０の上端から外部に向けて突出する外部線材要素３２とで構成している。
【００４７】
外周枠３０は、正面パネル２ａにおける外周枠２０と同様に、横長な長方形となるように線材を枠状に曲げて形成しており、その大きさは、正面パネル２ａの外周枠２０と同等の大きさとなるように形成されている。
【００４８】
枠内線材３１は、外周枠３０の長手方向及び短手方向に沿って所定間隔隔てた線材を複数配置して構成しており、短手方向に沿って直線的に延びる第１枠内線材３１０と、短手方向に沿って略直線的に延びるとともに、中央部分が長手方向に向けて略Ｍ字状に突出する突出部３１３を備えた第２枠内線材３１１と、長手方向に沿って直線的に延びる第３枠内線材３１２とで構成している。
【００４９】
これら第１枠内線材３１０及び第２枠内線材３１１は、平行に配置された２本の第１枠内線材３１０を一組とするとともに、突出部３１３が対向するように、平行に配置された２本の第２枠内線材３１１を一組とし、一組の第１枠内線材３１０と一組の第２枠内線材３１１とを交互に配置している。
【００５０】
第３枠内線材３１２は、外周枠３０の各長辺から内部に向けて、外周枠３０における短手方向の長さの約４分の１の距離にそれぞれ配置されている。つまり、第３枠内線材３１２は、外周枠３０の上側及び下側に１つずつ配置されている。
【００５１】
外部線材要素３２は、所望の形状に曲げて形成した複数の線材を組み合わせて構成しており、外周枠３０の長手方向における中間部分を軸とした左右対称形状となるように形成している。なお、この外部線材要素３２は、正面パネル２ａの外部線材要素２２と同様の形状に形成されおり、外周枠３０と同一平面上に配置される。
【００５２】
側面パネル４ａは、図４及び図５に示すように、線材を略長方形の枠状に形成した外周枠４０と、該外周枠４０の内部に線材を複数配置した枠内線材４１と、外周枠４０の上端から外部に向けて突出する外部線材要素４２とで構成している。
【００５３】
外周枠４０は、縦長な長方形となるように線材を枠状に曲げて形成しており、正面パネル２ａにおける外周枠２０及び背面パネル３ａにおける外周枠３０の上下方向の高さと同等の高さとなるように形成されている。
【００５４】
枠内線材４１は、外周枠４０の長手方向及び短手方向に沿って所定間隔隔てた線材を複数配置して構成しており、長手方向に沿って直線的に延びる第１枠内線材４１０と、長手方向に沿って略直線的に延びるとともに、中央部分が短手方向に向けて略Ｍ字状に突出する突出部４１３を備えた第２枠内線材４１１と、短手方向に沿って曲線的に延びる第３枠内線材４１２とで構成している。
【００５５】
これら第１枠内線材４１０及び第２枠内線材４１１は、平行に配置された２本又は３本の第１枠内線材４１０を一組とするとともに、第２枠内線材４１１が対向するように、平行に配置された２本の第２枠内線材４１１を一組とし、一組の第１枠内線材４１０と一組の第２枠内線材４１１とを交互に配置している。
【００５６】
第３枠内線材４１２は、外周枠４０の各短辺から内部に向けて、外周枠４０における長手方向の長さの約４分の１の距離にそれぞれ配置されている。つまり、第３枠内線材４１２は、外周枠４０の上側及び下側に１つずつ配置されている。
【００５７】
外部線材要素４２は、所望の形状に曲げて形成した複数の線材を組み合わせて構成しており、外周枠４０の短手方向における中間部分を軸とした左右対称形状となるように形成している。なお、この外部線材要素４２は、立体的ではなく、平面的に曲げて形成しているため、外周枠４０に沿った形状となり、外周枠４０と同一平面上に配置される。
【００５８】
上面パネル５ａは、図６に示すように、線材を略長方形の枠状に形成した外周枠５０と、該外周枠５０の内部に線材を複数配置した枠内線材５１ａと、外周枠５０の内部に配置された内部線材要素５２ａと、正面パネル２ａ、背面パネル３ａ、及び側面パネル４ａに対する位置を保持する位置保持部５３とで構成している。
【００５９】
外周枠５０は、連結した正面パネル２ａ、背面パネル３ａ、側面パネル４ａの上端を閉塞できる大きさで、横長な長方形となるように線材を枠状に曲げて形成されている。  
枠内線材５１ａは、外周枠５０の長手方向及び短手方向に沿って所定間隔隔てた線材を複数配置して構成しており、短手方向に沿って直線的に延びる第１枠内線材５１０と、長手方向に沿って曲線的に延びる第２枠内線材５１１とで構成している。
【００６０】
短手方向に沿って直線的に延びる第１枠内線材５１０は、長手方向に所定間隔隔てて複数配置されている。  
長手方向に沿って曲線的に延びる第２枠内線材５１１は、外周枠５０の各長辺側に１つずつ配置されている。
【００６１】
内部線材要素５２ａは、所望の形状に曲げて形成した複数の線材を組み合わせて構成しており、外周枠５０が構成する平面に沿って、外周枠５０の中心を軸に回転させた回転対称形状となるように形成している。なお、この内部線材要素５２ａは、立体的ではなく、平面的に曲げて形成しているため、外周枠５０に沿った形状となり、複数の枠内線材５１ａに亘って重ねるように配置される。
【００６２】
位置保持部５３は、平面視略Ｕ字状に曲げて形成した線材であって、外周枠５０の各辺に２つずつ配置されており、略Ｕ字状の閉塞する閉塞部分５３ａを、外周枠５０が構成する面に直交する方向に向けて曲げられている（図２から図５参照）。
【００６３】
外周枠５０の長辺に配置された位置保持部５３は、閉塞部分５３ａが下方に向けて突出するように配置され、外周枠５０の短辺に配置された位置保持部５３は、閉塞部分５３ａが上方に向けて突出するように配置されている（図２から図５参照）。
【００６４】
なお、連結した正面パネル２ａ、背面パネル３ａ、及び側面パネル４ａに上面パネル５ａを組み付ける際は、外周枠５０の長辺に配置された位置保持部５３を、正面パネル２ａ及び背面パネル３ａの外周枠２０，３０の上端の上側に配置し、外周枠５０の短辺に配置された位置保持部５３を、側面パネル４ａの外周枠４０の上端の下側に配置する。
【００６５】
連結部材６は、図１から図６に示すように、正面パネル２ａ、背面パネル３ａ、及び側面パネル４ａを組み付けた際に隣り合う外周枠２０，３０，４０を、第３枠内線材２１２，３１２，４１２において、それぞれ連結する部材であり、略箱状のサークル１ａの上下方向に沿った各辺に２つずつ備えられている。
【００６６】
トレー７は、図７（ａ）、図７（ｂ）、図８（ａ）、図８（ｂ）、図９に示すように、皿状に形成されており、平面視略長方形の底面７０と、該底面７０を囲う側面７１とで構成している。  
底面７０は、連結部材６で連結した正面パネル２ａ、背面パネル３ａ、及び側面パネル４ａを載置可能に、上面パネル５ａよりも大きく形成されており、底面７０が上方にわずかに突出する卵型の突出部７０１を、四隅に２つずつ備えている。なお、突出部７０１及び側面７１との間に、外周枠２０，３０，４０の下端が配置される。
【００６７】
側面７１は、断面が逆Ｖ字状となるように、底面７０の外周に枠状に形成されている。  
トレー７は、底面７０の外縁部と側面７１の内側の端部とが連続するように、一体に形成されている。
【００６８】
続いて、上述のように構成したサークル１ａの作用効果について説明する。  
本実施形態のサークル１ａは、正面パネル２ａの外部線材要素２２を、外周枠２０の上端から外部に突出するように、線材を平面的に曲げて形成するとともに、外周枠２０と同一平面上に配置し、背面パネル３ａの外部線材要素３２を、外周枠３０の上端から外部に突出するように、線材を平面的に曲げて形成するとともに、外周枠３０と同一平面上に配置し、側面パネル４ａの外部線材要素４２を、外周枠４０の上端から外部に突出するように、線材を平面的に曲げて形成するとともに、外周枠４０と同一平面上に配置したことにより、サークル１ａは、利便性を低下させることなく独自性を向上させることができる。
【００６９】
詳述すると、上記構成により、サークル１ａは、様々な形状に形成した外部線材要素２２，３２，４２が外周枠２０，３０、４０の上端から突出する立体的な装飾品となって、独自性を向上させることができる。
【００７０】
さらに、上記構成により、正面パネル２ａ、背面パネル３ａ、及び側面パネル４ａは、外部線材要素２２，３２，４２が嵩張ることなく、重ね合わせてコンパクトに折り畳むことができるため、サークル１ａを狭い隙間に収納できずに、利便性が低下することを防止できる。
【００７１】
従って、サークル１ａは、外周枠２０，３０、４０の上端から外部に突出する外部線材要素２２，３２，４２を、線材を平面的に曲げて形成するとともに、外周枠２０，３０、４０と同一平面上に配置したことにより、利便性を低下させることなく独自性を向上させることができる。
【００７２】
さらにまた、外部線材要素２２，３２，４２を、外周枠２０，３０、４０の上端から外部に突出するように形成したことにより、サークル１ａ内で愛玩動物が飛び跳ねても、サークル１ａから愛玩動物が飛び出ることを防止できる。
【００７３】
また、本実施形態のサークル１ａは、連結した正面パネル２ａ、背面パネル３ａ、及び側面パネル４ａの上端を閉塞するとともに、上面部を構成する上面パネル５ａを備え、該上面パネル５ａを、外周枠５０と枠内線材５１ａとで構成したことにより、サークル１ａから愛玩動物が飛び出すことを確実に防止することができる。
【００７４】
また、本実施形態のサークル１ａ、上面パネル５ａに、線材を平面的に形成し、外周枠５０の内部に複数の枠内線材５１ａに亘って重ねて配置した内部線材要素５２ａを備えたことにより、内部線材要素５２ａを備えた上面パネル５ａの強度を向上させるとともに、独自性をさらに向上させることができる。
【００７５】
詳述すると、外周枠５０の内部に複数の枠内線材５１ａに亘って重ねて内部線材要素５２ａを配置したことにより、内部線材要素５２ａを備えた上面パネル５ａは、内部線材要素５２ａを備えた部分における強度を向上させることができる。  
さらに、外周枠５０の内部に複数の枠内線材５１ａに亘って重ねて内部線材要素５２ａを配置したことにより、サークル１ａの独自性をさらに向上させることができる。
【００７６】
さらにまた、サークル１ａは、外周枠５０の内部に複数の枠内線材５１ａに亘って重ねて内部線材要素５２ａを配置したことにより、内部線材要素５２ａが嵩張ることなく、正面パネル２ａ、背面パネル３ａ、及び側面パネル４ａとともに重ね合わせてコンパクトに折り畳むことができ、利便性が低下することを抑制できる。
【００７７】
また、本実施形態のサークル１ａは、正面パネル２ａ、背面パネル３ａ、及び側面パネル４ａを構成する枠内線材２１ａ，３１，４１に、対象部材を係止して保持する突出部２１３ａ，３１３，４１３を有する第２枠内線材２１１ａ，３１１，４１１を備えたことにより、係止部に対象部材を確実に保持することができる。
【００７８】
なお、上記対象部材とは、例えば、正面パネル２ａ、背面パネル３ａ、側面パネル４ａ、及び上面パネル５ａを、重ね合わせて折り畳む際に、互いにぶつかり合って傷が付くことを防止するクッション材やスペーサなどの収納用具、或いは、サークル１ａに取り付けることが可能な、愛玩動物用の給餌用具、給水用具、おもちゃなどの愛玩動物用生活用具である。
【００７９】
詳述すると、例えば、突出部２１３ａ，３１３，４１３に収納用具を装着した場合、装着した収納用具がずれ落ちたり、外れたりすることなく突出部２１３ａ，３１３，４１３に係止され、正面パネル２ａ、背面パネル３ａ、側面パネル４ａ、及び上面パネル５ａは、重ね合わせてコンパクトに折り畳む際に、互いにぶつかり合って傷が付くことを防止できる。
【００８０】
さらには、例えば、突出部２１３ａ，３１３，４１３に愛玩動物用生活用具を装着した場合、サークル１ａは、愛玩動物用生活用具を愛玩動物が揺らしたり、押したりしても、愛玩動物用生活用具がずれ落ちたり、外れたりすることを防止できる。
【００８１】
しかも、突出部２１３ａ，３１３，４１３を備えた正面パネル２ａ、背面パネル３ａ、及び側面パネル４ａは、単に線材を格子状に形成した枠内線材を有する正面パネル、背面パネル、及び側面パネルよりも、独自性を有することができる。
【００８２】
この発明の構成と、上述の実施形態との対応において、
この発明の愛玩動物用サークルは、実施形態のサークル１ａに対応し、
以下同様に、
側面構成部材は、正面パネル２ａ、背面パネル３ａ、側面パネル４ａに対応し、
上面構成部材は、上面パネル５ａに対応し、
係止部は、突出部２１３ａ，３１３，４１３，に対応するが、
この発明は、上述の実施形態の構成のみに限定されるものではなく、多くの実施の形態を得ることができる。
【００８３】
以下において、他の実施形態について図１０から図２９を用いて説明する。  
なお、図１０は、他の実施形態におけるサークル１ｂの６面図を示している。詳述すると、図１０（ａ）は、サークル１ｂの正面図を示し、図１０（ｂ）は、サークル１ｂの背面図を示し、図１０（ｃ）は、サークル１ｂの左側面図を示し、図１０（ｄ）は、サークル１ｂの右側面図を示し、図１０（ｅ）は、サークル１ｂの平面図を示し、図１０（ｆ）は、サークル１ｂの底面図を示している。
【００８４】
以下同様に、図１１（ａ）から図１１（ｆ）は、他の実施形態におけるサークル１ｃの６面図を示し、図１２（ａ）から図１２（ｆ）は、他の実施形態におけるサークル１ｄの６面図を示し、図１３（ａ）から図１３（ｆ）は、他の実施形態におけるサークル１ｅの６面図を示し、図１４（ａ）から図１４（ｆ）は、他の実施形態におけるサークル１ｆの６面図を示し、図１５（ａ）から図１５（ｆ）は、他の実施形態におけるサークル１ｇの６面図を示し、図１６（ａ）から図１６（ｆ）は、他の実施形態におけるサークル１ｈの６面図を示し、図１７（ａ）から図１７（ｆ）は、他の実施形態におけるサークル１ｉの６面図を示し、図１８（ａ）から図１８（ｆ）は、他の実施形態におけるサークル１ｊの６面図を示し、図１９（ａ）から図１９（ｆ）は、他の実施形態におけるサークル１ｋの６面図を示し、図２０（ａ）から図２０（ｆ）は、他の実施形態におけるサークル１ｌの６面図を示し、図２１（ａ）から図２１（ｆ）は、他の実施形態におけるサークル１ｍの６面図を示し、図２２（ａ）から図２２（ｆ）は、他の実施形態におけるサークル１ｎの６面図を示し、図２３（ａ）から図２３（ｆ）は、他の実施形態におけるサークル１ｏの６面図を示し、図２４（ａ）から図２４（ｆ）は、他の実施形態におけるサークル１ｐの６面図を示し、図２５（ａ）から図２５（ｆ）は、他の実施形態におけるサークル１ｑの６面図を示し、図２６（ａ）から図２６（ｆ）は、他の実施形態におけるサークル１ｒの６面図を示し、図２７（ａ）から図２７（ｆ）は、他の実施形態におけるサークル１ｓの６面図を示し、図２８（ａ）から図２８（ｆ）は、他の実施形態におけるサークル１ｔの６面図を示し、図２９（ａ）から図２９（ｆ）は、他の実施形態におけるサークル１ｕの６面図を示し、図３０（ａ）から図３０（ｆ）は、他の実施形態におけるサークル１ｖの６面図を示している。
【００８５】
上述した実施形態のサークル１ａは、正面パネル２ａを構成する枠内線材２１ａ、背面パネル３ａを構成する枠内線材３１、側面パネル４ａを構成する枠内線材４１、及び上面パネル５ａを構成する枠内線材５１ａと内部線材要素５２を、上述した形状に形成して構成したが、様々な形状や組み合わせで構成してもよい。
【００８６】
例えば、上述した実施形態によれば、サークル１ａは、正面パネル２ａを構成する第２枠内線材２１１ａの突出部２１３ａを、第２枠内線材２１１ａの中央部分が正面パネル２ａの長手方向に向けて略Ｍ字状に突出するように形成したが、図１０に示すように、波型に形成した突出部２１３ｂを備えた第２枠内線材２１１ｂと第１枠内線材２１１と第３枠内線材２１２とで枠内線材２１ｂを構成してもよい。
【００８７】
或いは、図１１から図１３に示すように、様々な形状に形成した突出部２１３ｃ〜２１３ｅを備えた第２枠内線材２１１ｃ〜２１１ｅと第３枠内線材２１２とで枠内線材２１ｃ〜２１ｅを構成してもよいし、図１４に示すように、突出部２１３ｆを２つ備えた第２枠内線材２１１ｆと第３枠内線材２１２とで枠内線材２１ｆを構成してもよい。
【００８８】
そして、これら図１０から図１４に示す他の実施形態のサークル１ｂ〜１ｆは、正面パネル２ｂ〜２ｆを構成している枠内線材２１ｂ〜２１ｆを、背面パネル３ｂ〜３ｆや側面パネル４ｂ〜４ｆを構成する枠内線材にも用いている。
【００８９】
また、例えば、上述した実施形態によれば、サークル１ａは、上面パネル５ａを構成する内部線材要素５２ａを、所望の形状に曲げて形成した複数の線材を組み合わせて構成し、外周枠５０が構成する平面に沿って、外周枠５０の中心を軸に回転させた回転対称形状となるように形成したが、図１５から図１８に示すように、様々な形状に形成した内部線材要素５２ｇ〜５２ｊを上面パネル５ｇ〜５ｊに備えてもよい。
【００９０】
或いは、図１９から図２９に示すように、内部線材要素５２ｋ〜５２ｕの少なくとも一部を、外周枠５０に固定してもよい。これにより、上面パネル５ｋ〜５ｕは、内部線材要素５２ｋ〜５２ｕを備えた部分における強度をさらに向上させることができる。
【００９１】
このとき、図１５から図２９に示す上面パネル５ｇ〜５ｕを構成する枠内線材５１ｇ〜５１ｕは、上述した実施形態のように、複数の第１枠内線材５１０と２本の第２枠内線材５１１とで構成することだけに限らず、内部線材要素５２ｇ〜５２ｕの態様に合わせて、複数の第１枠内線材５１０と、１本の第２枠内線材５１１とで構成する、或いは、複数の第１枠内線材５１０のみで構成してもよい。
【００９２】
また、サークルは、図１から図６に示す本実施形態サークル１ａを構成する正面パネル２ａ、背面パネル３ａ、側面パネル４ａ、及び上面パネル５ａと、図１０から図２９に示す他の実施形態のサークル１ｂ〜１ｕを構成する正面パネル２ｂ〜２ｆ、背面パネル３ｂ〜３ｆ、側面パネル４ｂ〜４ｆ、及び上面パネル５ｂ〜５ｕを組み合わせて構成してもよい。さらには、正面パネル、背面パネル、及び側面パネルに上述した内部線材要素５２ａ，５２ｇ〜５２ｕを備えてもよい。これにより、様々な外観を有するサークルを構成することができ、独自性を向上させることができる。
【００９３】
また、サークルは、図３０に示すように、外部線材要素２２，３２，４２を備えていない正面パネル２ｖ、背面パネル３ｖ、及び側面パネル４ｖと、上面パネル５ａとの上部に、正面パネル２ａ、背面パネル３ａ、側面パネル４ａ、及び上面パネル５ａを重ねたサークル１ｖであってもよい。
【００９４】
このとき、サークル１ｖは、トレー７の上に２段重ねの各パネルを載置して、下側の各パネルと上側の各パネルとを連結部材６で連結している。  
もちろん、サークル１ｖは、図示するように、２段に重ねて構成することだけに限らず３段以上に重ねてもよい。
【符号の説明】
【００９５】
１ａ〜１ｖ…サークル
２ａ〜２ｆ，２ｖ…正面パネル
３ａ〜３ｆ，３ｖ…背面パネル
４ａ〜４ｆ，４ｖ…側面パネル
５ａ，５ｇ〜５ｖ…上面パネル
６…連結部材
７…トレー
２０，３０，４０，５０…外周枠
２１ａ〜２１ｆ，３１，４１，５１ａ，５１ｇ〜５１ｕ…枠内線材
２１０，３１０，４１０，５１０…第１枠内線材
２１１ａ〜２１１ｆ，３１１，４１１，５１１…第２枠内線材
２１３ａ〜２１３ｆ，３１３，４１３…突出部
２１２，３１２，４１２…第３枠内線材
２２，３２，４２…外部線材要素
５２ａ，５２ｇ〜５２ｕ…内部線材要素
【図１】
2016106582.tif 000003
【図２】
2016106582.tif 000004
【図３】
2016106582.tif 000005
【図４】
2016106582.tif 000006
【図５】
2016106582.tif 000007
【図６】
2016106582.tif 000008
【図７】
2016106582.tif 000009
【図８】
2016106582.tif 000010
【図９】
2016106582.tif 000011
【図１０】
2016106582.tif 000012
【図１１】
2016106582.tif 000013
【図１２】
2016106582.tif 000014
【図１３】
2016106582.tif 000015
【図１４】
2016106582.tif 000016
【図１５】
2016106582.tif 000017
【図１６】
2016106582.tif 000018
【図１７】
2016106582.tif 000019
【図１８】
2016106582.tif 000020
【図１９】
2016106582.tif 000021
【図２０】
2016106582.tif 000022
【図２１】
2016106582.tif 000023
【図２２】
2016106582.tif 000024
【図２３】
2016106582.tif 000025
【図２４】
2016106582.tif 000026
【図２５】
2016106582.tif 000027
【図２６】
2016106582.tif 000028
【図２７】
2016106582.tif 000029
【図２８】
2016106582.tif 000030
【図２９】
2016106582.tif 000031
【図３０】
2016106582.tif 000032